(57)【特許請求の範囲】
【請求項１】
被写体からの光を分割して個別に結像し、一組の光像を形成する焦点検出用光学系と、
前記焦点検出用光学系を介して形成された前記一組の光像を光電変換する光電変換手段と、
前記光電変換手段の出力と蓄積時間とに基づいて、前記光像の照度、適正となる蓄積時間、または該適正となる蓄積時間の逆数のいずれかを前記照度に関する量として算出する照度算出手段と、
前記照度算出手段により順次算出された複数時点の前記照度に関する量について、平均値、中央値、最大値と最小値との中間値、または重み付け平均値のいずれかを中心レベルとして算出する中心算出手段と、
前記中心算出手段により算出された中心レベルに応じて、前記光電変換手段の蓄積時間を制御する蓄積時間制御手段と、
前記光電変換手段の出力を取り込み、前記一組の光像の位置間隔に基づいて、前記被写体についての焦点検出情報を算出する焦点検出手段と
を備えたことを特徴とする焦点検出装置。
【請求項２】
請求項１に記載の焦点検出装置において、
前記中心算出手段は、
被写体の測光量が増加するに従って、過去の前記照度に関する量に乗じる重み比率を増加させる
ことを特徴とする焦点検出装置。
【請求項３】
請求項１に記載の焦点検出装置において、
前記中心算出手段は、
手動焦点調節時には、過去の前記照度に関する量に乗じる重み比率を増加させ、自動焦点調節時には、過去の前記照度に関する量に乗じる重み比率を減少させる
ことを特徴とする焦点検出装置。
【請求項４】
請求項１に記載の焦点検出装置において、
前記中心算出手段は、
シングル焦点調節モード時には、過去の前記照度に関する量に乗じる重み比率を増加させ、連続焦点調節モード時には、過去の前記照度に関する量に乗じる重み比率を減少させる
ことを特徴とする焦点検出装置。
【請求項５】
請求項１に記載の焦点検出装置において、
前記中心算出手段は、
単写モード時には、過去の前記照度に関する量に乗じる重み比率を増加させ、連写モード時には、過去の前記照度に関する量に乗じる重み比率を減少させる
ことを特徴とする焦点検出装置。
【請求項６】
請求項１に記載の焦点検出装置において、
前記中心算出手段は、
静止被写体については、過去の前記照度に関する量に乗じる重み比率を増加させ、動体被写体については、過去の前記照度に関する量に乗じる重み比率を減少させる
ことを特徴とする焦点検出装置。
【請求項７】
請求項１に記載の焦点検出装置において、
前記中心算出手段は、
撮影光学系の焦点距離が短くなるに従って、過去の前記照度に関する量に乗じる重み比率を増加させることを特徴とする焦点検出装置。
【請求項８】
請求項１ないし請求項７の何れか１項に記載の焦点検出装置を備えたことを特徴とするカメラ。
【発明の詳細な説明】
【０００１】
【発明の属する技術分野】
本発明は、一組の光像をイメージセンサで光電変換し、光像の間隔を検出して焦点状態の検出を行う焦点検出装置に関し、特に、光源のフリッカ現象にかかわらず、イメージセンサの出力レベルを適正範囲内に調節する焦点検出装置およびカメラに関する。
【０００２】
【従来の技術】
従来、カメラその他の光学機器には、被写体の測距値やデフォーカス量その他の焦点検出情報を検出するために、焦点検出装置が搭載されている。
図１３は、この種の焦点検出装置を示す分解斜視図である。
図において、焦点検出部５０の上面には、レンズホルダ部５１が設けられ、レンズホルダ部５１にコンデンサレンズ５２が嵌合される。
【０００３】
このコンデンサレンズ５２の上面には、視野を制限する視野マスク５３と、赤外光を遮る赤外カットフィルタ５４とが配置される。
また、コンデンサレンズ５２の直下にはミラー５５が斜めに配置され、ミラー５５の反射軸に沿って、絞り板５７，レンズ板５８およびイメージセンサ５９が順に配置される。イメージセンサ５９の出力は、Ａ／Ｄ変換部６０ａを介してマイクロプロセッサ６０に接続される。
【０００４】
さらに、上述の絞り板５７には、左右対称な開口部からなる絞りマスク５７ａ，５７ｂが穿孔され、また、レンズ板５８には、左右対称な結像レンズからなるセパレータレンズ５８ａ，５８ｂが一体に成形される。
図１４は、従来の焦点検出装置の動作を示す流れ図である。
【０００５】
以下、図１３，図１４を用いて、従来例の動作を説明する。
まず、上述のように構成された焦点検出部５０は、カメラ内のミラーボックス下部などに配置され、撮影光学系からの光束をコンデンサレンズ５２で受光する。
この光束は、ミラー５５を介して絞りマスク５７ａ，５７ｂに到達する。絞りマスク５７ａ，５７ｂでは余分な光束が遮断され、左右対称な分割光束に分けられる。これらの分割光束は、セパレータレンズ５８ａ，５８ｂを介して個別にアオリ結像され、イメージセンサ５９の受光面に一組の光像を形成する。
【０００６】
ここで、マイクロプロセッサ６０は、カメラ内の測光部などから被写体の測光量を取り込む。マイクロプロセッサ６０は、この測光量に応じてイメージセンサ５９の蓄積時間を初期設定する（図１４Ｓ１）。
次に、マイクロプロセッサ６０は、イメージセンサ５９を制御して、設定済みの蓄積時間だけ光電荷の蓄積を実行する。このように蓄積された光電荷は、画像信号として順次に転送され、Ａ／Ｄ変換された後に、マイクロプロセッサ６０に取り込まれる（図１４Ｓ２）。
【０００７】
マイクロプロセッサ６０は、この画像信号に対して公知の相関演算を行い、一組の光像の位置間隔を検出する。この位置間隔に基づいて、デフォーカス量が算出される（図１４Ｓ３）。
ここで、マイクロプロセッサ６０は、前回得られた画像信号のピーク値Ｐｎと、前回の蓄積時間Ｔｎと、所定の目標ピーク値Ｐｓとを用いて、
Ｔn+1 ＝Ｔｎ・（Ｐｓ／Ｐｎ）      ・・・（１）
を算出し、前回の時刻において適正であった蓄積時間Ｔn+1 を求める（図１４Ｓ４）。
【０００８】
マイクロプロセッサ６０は、この適正蓄積時間Ｔn+1 を次回の蓄積時間として設定する（図１４Ｓ５）。
以上の動作をステップＳ２に戻って繰り返す。
【０００９】
このような動作により、イメージセンサ５９の蓄積時間は、焦点検出サイクルの１回分だけ遅れて、適正蓄積時間Ｔn+1 に追従する。そのため、焦点検出サイクルの１回分よりも十分に遅い照度変化については、蓄積時間が適正に制御され、イメージセンサ５９の出力レベルは常に適正レベルに保持される。
また、特開昭６４−７９７１２号公報には、被写体光の照度が大きく変動するような環境下において、蓄積時間の収束速度を意図的に遅くする装置が開示されている。
【００１０】
すなわち、前回得られた画像信号におけるフレーム内の平均レベルＤｎと、前回の蓄積時間Ｔｎと、所定の目標レベルＤｓとを用いて、
Ｔn+1 ＝（１−Ｗ）Ｔｎ＋Ｗ・Ｔｎ・（Ｄｓ／Ｄｎ）      ・・・（２）
を算出し、次回の蓄積時間Ｔn+1 を定める。
なお、（２）式では、前回の蓄積時間Ｔｎと、前回の適正蓄積時間｛Ｔｎ・（Ｄｓ／Ｄｎ）｝とを、係数Ｗの比率で内分して、次回の蓄積時間Ｔn+1 を定めている。
【００１１】
そのため、次回の蓄積時間Ｔn+1 は適正蓄積時間に向かって徐々に収束し、蓄積時間の急激な変化が抑制される。
【００１２】
【発明が解決しようとする課題】
ところで、フリッカ現象が生じる光源（例えば、蛍光燈など）を用いて被写体を照明すると、図１５に示すように、被写体光の照度は周期的に変動する。
【００１３】
従来の焦点検出装置では、このように被写体光の照度が変動すると、蓄積時間の調節が的確に追従できず、イメージセンサ５９の出力レベルが、被写体光の照度変化を大幅に超えて、大きく変動してしまうという問題点があった（一種の共振現象）。
例えば、図１５に示すようなケースでは、被写体光の照度が５０％から１００％の間で周期変動する。この場合、時刻Ｔ１に取り込まれた画像信号のピーク値Ｐｎは、１００％の値となる。マイクロプロセッサ６０は、（１）式に基づいて、この１００％のピーク値Ｐｎに応じた次回の蓄積時間Ｔn+1 を決定する。
【００１４】
しかし、次回の時刻Ｔ２には、被写体光の照度が５０％に下がっているため、次回のピーク値Ｐｎは、目標ピーク値Ｐｓの半分までしか到達しない。
そのため、マイクロプロセッサ６０は、次々回の蓄積時間を現在の２倍に設定する。
しかし、次々回の時刻Ｔ３には、被写体光の照度が再び１００％にあがるため、画像信号のピーク値Ｐｎは、目標ピーク値Ｐｓの２倍にまで到達してしまう。
【００１５】
このように、目標ピーク値Ｐｓの５０％〜２００％の範囲で、出力レベルが変動してしまう。
通常、イメージセンサ５９の出力レベルが大きく変動すると、Ａ／Ｄ変換部６０ａの入力範囲を超えるため、Ａ／Ｄ変換後の画像信号が白側もしくは黒側につぶれてしまう。このように画像パターンがつぶれた状態では、一組の光像について位置間隔を正確に検出することができず、焦点検出精度が下がったり、最悪の場合、焦点検出が不可能となるという問題点があった。
【００１６】
一方、特開昭６４−７９７１２号公報に記載の装置では、照度変化に対する蓄積時間の応答性を一律に遅らせることにより、フリッカ現象による出力レベルの変動を若干抑えることができる。しかし、前回の蓄積時間Ｔｎと、「前回の適正蓄積時間｛Ｔｎ・（Ｄｓ／Ｄｎ）｝とのみによって、次回の蓄積時間Ｔn+1 を定めているため、設計上の自由度が小さく、フリッカ現象による出力レベルの変動を十分かつ適度に低減することができなかった。
【００１７】
そこで、請求項１に記載の発明では、上述した問題点を解決するために、フリッカ現象による影響を排除して、イメージセンサの出力レベルの変動を効率的に抑制することができる焦点検出装置を提供することを目的とする。
【００１９】
請求項２〜８に記載の発明では、請求項１の目的と併せて、撮影状況の変化などに柔軟に対応して、蓄積時間の安定性と応答性との均衡を適宜に変更する焦点検出装置およびカメラを提供することを目的とする。
【００２０】
【課題を解決するための手段】
図１は、本発明の原理ブロック図である。以下、図１に対応付けて、解決するための手段を説明する。
請求項１に記載の発明は、被写体からの光を分割結像して一組の光像を形成する焦点検出用光学系１と、焦点検出用光学系１を介して形成された一組の光像を光電変換する光電変換手段２と、光電変換手段２の出力と蓄積時間とに基づいて、光像の照度、適正となる蓄積時間、または該適正となる時間の逆数のいずれかを前記照度に関する量として算出する照度算出手段３と、照度算出手段３により順次算出された複数時点の照度に関する量について、平均値、中央値、最大値と最小値との中間値、または重み付け平均値のいずれかを中心レベルとして算出する中心算出手段４と、中心算出手段４により算出された中心レベルに応じて、光電変換手段２の蓄積時間を制御する蓄積時間制御手段５と、光電変換手段２の出力を取り込み、一組の光像の位置間隔に基づいて、被写体についての焦点検出情報を算出する焦点検出手段６とを備えて構成する。
【００２３】
請求項２に記載の発明は、請求項１に記載の焦点検出装置において、中心算出手段４は、被写体の測光量が増加するに従って、過去の照度に関する量に乗じる重み比率を増加させることを特徴とする。
請求項３に記載の発明は、請求項１に記載の焦点検出装置において、中心算出手段４は、手動焦点調節時には、過去の照度に関する量に乗じる重み比率を増加させ、自動焦点調節時には、過去の照度に関する量に乗じる重み比率を減少させることを特徴とする。
【００２４】
請求項４に記載の発明は、請求項１に記載の焦点検出装置において、中心算出手段４は、シングル焦点調節モード時には、過去の照度に関する量に乗じる重み比率を増加させ、連続焦点調節モード時には、過去の照度に関する量に乗じる重み比率を減少させることを特徴とする。
【００２５】
請求項５に記載の発明は、請求項１に記載の焦点検出装置において、中心算出手段４は、単写モード時には、過去の照度に関する量に乗じる重み比率を増加させ、連写モード時には、過去の照度に関する量に乗じる重み比率を減少させることを特徴とする。
請求項６に記載の発明は、請求項１に記載の焦点検出装置において、中心算出手段４は、静止被写体については、過去の照度に関する量に乗じる重み比率を増加させ、動体被写体については、過去の照度に関する量に乗じる重み比率を減少させることを特徴とする。
【００２６】
請求項７に記載の発明は、請求項１に記載の焦点検出装置において、中心算出手段４は、撮影光学系の焦点距離が短くなるに従って、過去の照度に関する量に乗じる重み比率を増加させることを特徴とする。
請求項８に記載の発明は、請求項１ないし請求項７の何れか１項に記載の焦点検出装置を備えたことを特徴とする。
【００２７】
（作用）
請求項１にかかわる焦点検出装置では、焦点検出用光学系１を介して、一組の光像が形成される。これらの光像は、光電変換手段２を介して光電変換され、画像信号として照度算出手段３に出力される。
【００２８】
ここで、光電変換手段２の出力レベルをＰｎとして、蓄積時間をＴｎとすると、一組の光像の照度Ｓｎは、
Ｓｎ ∝ Ｐｎ／Ｔｎ      ・・・（３）
で表される。そこで、照度算出手段３は、光電変換手段２の出力レベルＰｎと、蓄積時間Ｔｎに基づいて、光像の照度Ｓｎに対応する関連量を算出する。
【００２９】
次に、中心算出手段４は、関連量の時間変動を複数時点にわたって観測し、その中心レベルを算出する。このように中心レベルを算出することにより、光源のフリッカ現象による影響を取り除くことができる。
蓄積時間制御手段５は、その中心レベルに応じて、光電変換手段２の蓄積時間を制御する。
【００３０】
したがって、たとえフリッカ現象が生じても蓄積時間は共振せず、光電変換手段２の出力レベルを適正な範囲内に収めることが可能となる。
【００３５】
請求項５にかかわる焦点検出装置では、被写体の測光量が上昇するに従って、過去の重み比率を増加させる。
一般に、被写体の測光量が低い場合、蓄積時間は長くなる。このような場合、フリッカ現象による照度変化は蓄積時間中に平滑化されるため、光電変換手段２における出力レベルの変動幅は小さくなる。
【００３６】
このような状態では、フリッカ現象の弊害が従来から小さい。そこで、被写体の測光量が低い場合に、過去の重み比率を減少させることにより、被写体本来の照度変化に対する蓄積時間の応答性を高めることができる。
一方、被写体の測光量が高い場合、蓄積時間は短くなる。このような場合、フリッカ現象による照度変化は蓄積時間中に十分に平滑化されず、光電変換手段２における出力レベルの変動幅は大きくなる。
【００３７】
そこで、被写体の測光量が高い場合に、過去の重み比率を増加させることにより、蓄積時間の安定性を十分に高めることが可能となる。
請求項３にかかわる焦点検出装置では、手動焦点調節モードと、自動焦点調節モードで、上述の重み係数を変更する。
手動焦点調節モードの場合、手動による焦点調節の便宜を図る目的から、デフォーカス量その他の焦点検出情報が表示部に刻々と表示される。このような表示では、焦点検出情報の変化を継続的に途切れることなく示すことが要求される。
【００３８】
したがって、光電変換手段２の出力レベルがつぶれて焦点検出が一時不可能となるよりも、焦点検出情報を安定かつ確実に検出することの方が重視される。
また、手動焦点調節モードでは、静止被写体を念入りに撮影するケースが圧倒的に多く、被写体本来の照度変化も小さい。
このような事情から、手動焦点調節モードのときは、過去の重み比率を増加させて蓄積時間の安定性を一層高めることにより、フリッカ現象による影響を最大限に排除し、焦点検出情報を安定かつ確実に検出する。
【００３９】
一方、自動焦点調節モードの場合、撮影者は焦点調節の手間が省かれるので、カメラアングルを頻繁に変更しつつ焦点調節を行うケースが多くなる。また、被写体としては、手動焦点調節では困難な移動被写体であるケースも多くなる。
これらのケースでは、被写体本来の照度変化も激しくなるため、蓄積時間の応答性が要求される。
【００４０】
このような事情から、自動焦点調節モードのときは、過去の重み比率を減少させることにより、蓄積時間の応答性を一層高めている。
以上のように、手動焦点調節モードと、自動焦点調節モードとで重み係数を変更することにより、撮影状況の変化に適応した「蓄積時間の制御」を実現することができる。
【００４１】
請求項４にかかわる焦点検出装置では、シングル焦点調節モードと、連続焦点調節モードで、上述の重み係数を変更する
シングル焦点調節モードは、焦点調節を重視した撮影モードである。したがって、静止被写体を念入りに撮影することが圧倒的に多く、被写体本来の照度変化も小さい。
【００４２】
このような事情から、シングル焦点調節モードのときは、過去の重み比率を増加させて蓄積時間の安定性を一層高めることにより、フリッカ現象による影響を最大限に排除し、焦点検出情報を安定かつ確実に検出する。
一方、連続焦点調節モードは、シャッタチャンスを重視した撮影モードであり、移動被写体を撮影することが多くなる。このようなケースでは、被写体本来の照度変化が激しくなるため、蓄積時間の応答性が要求される。
【００４３】
このような事情から、連続焦点調節モードのときは、過去の重み比率を減少させることにより、蓄積時間の応答性を一層高めている。
以上のように、シングル焦点調節モードと、連続焦点調節モードとで重み係数を変更することにより、撮影状況の変化に適応した「蓄積時間の制御」を実現することができる。
【００４４】
請求項５にかかわる焦点検出装置では、単写モードと、連写モードで、上述の重み係数を変更する。
単写モードは、静止被写体を念入りに撮影することが圧倒的に多く、被写体本来の照度変化も小さい。
このような事情から、単写モードのときは、過去の重み比率を増加させて蓄積時間の安定性を一層高めることにより、フリッカ現象による影響を最大限に排除し、焦点検出情報を安定かつ確実に検出する。
【００４５】
一方、連写モードは、好適なシャッタチャンスを確実に捉えるための撮影モードであり、移動被写体を撮影することが圧倒的に多い。これらのケースでは、被写体本来の照度変化が激しくなるため、蓄積時間の応答性が高く要求される。
このような事情から、連写モードのときは、過去の重み比率を減少させることにより、蓄積時間の応答性を一層高めている。
【００４６】
以上のように、単写モードと、連写モードとで重み係数を変更することにより、撮影状況の変化に適応した「蓄積時間の制御」を実現することができる。
請求項６にかかわる焦点検出装置では、被写体が静止体か移動体かによって、上述の重み係数を変更する。
静止被写体の場合は、被写体本来の照度変化が生じない。このような事情から、静止被写体のときは、過去の重み比率を増加させて蓄積時間の安定性を一層高めることにより、フリッカ現象による影響を最大限に排除し、焦点検出情報を安定かつ確実に検出する。
【００４７】
一方、動体被写体の場合は、被写体本来の照度変化が激しくなり、蓄積時間の応答性が高く要求される。
このような事情から、動体被写体のときは、過去の重み比率を減少させることにより、蓄積時間の応答性を一層高めている。
【００４８】
以上のように、静止被写体と、動体被写体とで重み係数を変更することにより、撮影状況の変化に適応した「蓄積時間の制御」を実現することができる。
請求項７にかかわる焦点検出装置では、撮影光学系の焦点距離に応じて、重み比率を変更する。
焦点距離が短い場合、デフォーカス量の時間変化が小さく、レンズの繰り出し距離も短くなる。したがって、合焦状態に到達するまでの所要時間が短いので、蓄積時間の応答性を重視するよりも、焦点検出情報を安定して確実に検出することの方が要望される。
【００４９】
また、焦点距離が短い場合、撮影画角が広くなる。そのため、カメラの手振れによる被写体像の変位は小さく、被写体本来の照度変化も小さい。
このような事情から、焦点距離が短い場合は、過去の重み比率を増加させて蓄積時間の安定性を一層高めることにより、フリッカ現象による影響を最大限に排除し、焦点検出情報を安定かつ確実に検出する。
【００５０】
一方、焦点距離が長くなると、画角が狭くなるため、カメラの手振れによる被写体像の変位が大きくなる。したがって、被写体本来の照度変化が激しくなるため、蓄積時間の応答性が高く要求される。
このような事情から、焦点距離が長いときは、過去の重み比率を減少させることにより、蓄積時間の応答性を一層高めている。
【００５１】
以上のように、撮影光学系の焦点距離に応じて、重み係数を変更することにより、撮影状況の変化に適応した「蓄積時間の制御」を実現することができる。
請求項８にかかわるカメラは、請求項１ないし請求項７の何れか１項に記載の焦点検出装置が備えられるため、これらの焦点検出装置による既述の作用効果を奏する。
【００５２】
【発明の実施の形態】
以下、図面に基づいて本発明における実施の形態を説明する。
【００５３】
図２は、第１の実施形態を示す図である。
図３は、焦点検出部２０の内部構成を示す分解斜視図である。
図２において、カメラボディ１１の前面には鏡筒１２が取り付けられ、カメラボディ１１の表面には、レリーズ釦１１ａが配置される。この鏡筒１２の内部には撮影光学系１３が配置される。
【００５４】
撮影光学系１３の光軸上には、メインミラー１４およびサブミラー１５が順に配置され、メインミラー１４の反射方向に沿ってマット面１６およびペンタプリズム１７が配置される。
ペンタプリズム１７の後面側には、接眼レンズ１８および測光部１９が配置され、サブミラー１５の反射方向には焦点検出部２０が配置される。この焦点検出部２０の画像信号出力は、Ａ／Ｄ変換部２１ａを介してマイクロプロセッサ２１に接続される。
【００５５】
また、レリーズ釦１１ａ，測光部１９および焦点検出部２０の制御端子は、マイクロプロセッサ２１に接続される。
なお、図３に示す焦点検出部２０の内部構造は、図８に示した構造と同一なので、ここでの説明を省略する。
また、図１に示すブロック図と本実施形態との対応関係については、焦点検出用光学系１は、視野マスク５３，コンデンサレンズ５２，絞りマスク５７ａおよびレンズ板５８に対応し、光電変換手段２はイメージセンサ５９に対応し、照度算出手段３はマイクロプロセッサ２１における「適正蓄積時間の算出機能」に対応し、中心算出手段４はマイクロプロセッサ２１における「中心レベルの算出機能」に対応し、蓄積時間制御手段５はマイクロプロセッサ２１における「蓄積時間の制御機能」に対応し、焦点検出手段６はマイクロプロセッサ２１における「デフォーカス量の算出機能」に対応し、「関連量」は「適正蓄積時間」に対応する。
【００５６】
図４は、本実施形態の動作を説明する流れ図である。
以下、図２〜４に基づいて、本実施形態の動作を説明する。
まず、ミラーダウン時には、メインミラー１４を介して被写体光が反射され、マット面１６上に被写体像が形成される。この被写体像は、マット面１６を介して散乱された後、ペンタプリズム１７、接眼レンズ１８を介して外部から観察される。
【００５７】
またマット面１６で散乱された光の一部は、測光部１９において測光される。
一方、メインミラー１４の光透過部を透過した光束は、サブミラー１５に反射されて、焦点検出部２０に照射される。
まず、マイクロプロセッサ２１は、測光部１９の測光量に基づいて、蓄積時間を初期設定する（図４Ｓ１）。
【００５８】
この状態で、イメージセンサ５９は、光電荷の蓄積を開始する。マイクロプロセッサ２１は、設定された蓄積時間に応じて、光電荷の蓄積を終了させる（図４Ｓ２）。
マイクロプロセッサ２１は、イメージセンサ５９の出力を取り込み、周知の相関演算処理を施してデフォーカス量を算出する（図４Ｓ３）。
【００５９】
次に、マイクロプロセッサ２１は、次回の電荷蓄積時間を次のように決定する。
まず、前回の蓄積時間Ｔｎａと、前回のイメージセンサ５９の出力ピーク値Ｐｎと、Ａ／Ｄ変換部２１ａの適正入力レベルから定められた目標ピーク値Ｐｓとを用いて、
Ｔｎｂ（ｋ）＝Ｔｎａ・（Ｐｓ／Ｐｎ）    ・・・（４）
を算出し、前回における適正蓄積時間Ｔｎｂ（ｋ）を求める（図４Ｓ４）。
【００６０】
ここで、デフォーカス量の検出回数が所定の標本回数（ｈ＋１）を超えたときは（図４Ｓ５）、
過去（ｈ＋１）回分の適正蓄積時間Ｔｎｂ（ｋ−ｈ）〜Ｔｎｂ（ｋ）を用いて、
【数１】
0003774938.tif 000002
を算出し、適正蓄積時間の平均値Ｔｍａを求めて次回の蓄積時間に設定する（図４Ｓ７）。
【００６１】
なお、デフォーカス量の検出回数が所定の標本回数（ｈ＋１）に達しないときは（図４Ｓ５）、マイクロプロセッサ２１は、前回までの適正蓄積時間を全て平均化して、次回の蓄積時間とする（図４Ｓ６）。
上述した動作をステップＳ２に戻って繰り返す。
以上説明した動作により、光源のフリッカ現象の影響を簡易な処理で取り除き、蓄積時間のふらつきを確実に防ぐことができる。
【００６２】
そのため、蓄積時間がふらついて、イメージセンサ５９の出力レベルが大きく変動することがなくなり、出力レベルを適正な範囲内に収めることができる。
例えば、フリッカ現象に起因して、被写体光の照度が５０％〜１００％の範囲で正弦波状に周期変動している場合、７０．８％の照度（適正蓄積時間の平均値Ｔｍａの逆数）に応じて、蓄積時間が制御される。
【００６３】
そのため、被写体光の照度が１００％まで上昇しても、
１００／７０．８＝１．４１
により、出力ピーク値Ｐｎは、目標ピーク値Ｐｓの１４１％を超えない。したがって、Ａ／Ｄ変換部２１ａの適正入力レベルの上限値の７０．８％程度に、目標ピーク値Ｐｓを予め定めれば、イメージセンサ５９の出力レベルを、Ａ／Ｄ変換部２１ａの適正入力レベル内に納めることができる。
【００６４】
したがって、イメージセンサ５９の出力が、Ａ／Ｄ変換部２１ａにおいてつぶれるおそれがなくなるので、マイクロプロセッサ２１は、イメージセンサ５９の出力について、焦点検出情報を確実に算出することができる。
次に、別の実施形態について説明する。
図５は、第２の実施形態の動作を示す流れ図である。
【００６５】
なお、第２の実施形態における装置の構成については、第１の実施形態の構成（図２，図３）と同じなので、ここでの説明を省略する。
以下、図２，図３，図５に基づいて、第２の実施形態の動作を説明する。
まず、マイクロプロセッサ２１は、測光部１９から被写体の測光量を取り込み、この測光量に応じて、イメージセンサ５９の蓄積時間を初期設定する。
【００６６】
この状態で、レリーズ釦１１ａが半押しされると、イメージセンサ５９は、光電荷の蓄積を開始する。マイクロプロセッサ２１は、設定された蓄積時間に応じて、光電荷の蓄積を終了させる（図５Ｓ２）。
マイクロプロセッサ２１は、イメージセンサ５９の出力を取り込み、周知の相関演算処理を施してデフォーカス量を算出する（図５Ｓ３）。
【００６７】
次に、マイクロプロセッサ２１は、次回の電荷蓄積時間を次のように決定する。
まず、前回の蓄積時間Ｔｎａと、前回のイメージセンサ５９の出力ピーク値Ｐｎとを用いて、
Ｓｎｂ（ｋ）＝Ｐｎ／Ｔｎａ    ・・・（６）
を算出し、前回の照度Ｓｎｂ（ｋ）を求める（図５Ｓ４）。
【００６８】
ここで、デフォーカス量の検出回数が所定の標本回数（ｈ＋１）を超えたときは（図５Ｓ５）、
過去（ｈ＋１）回分の照度Ｓｎｂ（ｋ−ｈ）〜Ｓｎｂ（ｋ）の中から、最大値と最小値とを求め、最大値と最小値との中間値Ｓｍａを算出する（図５Ｓ７）。
この中間値Ｓｍａと、予め定められたイメージセンサ５９の目標ピーク値Ｐｓとを用いて、
Ｔｍａ＝Ｐｓ／Ｓｍａ    ・・・（７）
を算出し、次回の蓄積時間Ｔｍａを設定する（図５Ｓ８）。
【００６９】
なお、デフォーカス量の検出回数が所定の標本回数（ｈ＋１）に達しないときは（図５Ｓ５）、マイクロプロセッサ２１は、前回の照度Ｓｎｂ（ｋ）と、予め定められたイメージセンサ５９の目標ピーク値Ｐｓとを用いて、
Ｔｍａ＝Ｐｓ／Ｓｎｂ（ｋ）    ・・・（８）
を算出し、次回の蓄積時間Ｔｍａを設定する（図５Ｓ６）。
【００７０】
上述した動作をステップＳ２に戻って繰り返す。
以上説明した動作により、第２の実施形態では、第１の実施形態とほぼ同様の効果を得ることができる。
さらに、第２の実施形態に特有な効果については、複数時点の照度Ｓｎｂ（ｋ）の内で、最小値および最大値のみを処理すればよいので、演算処理に要する記憶量が少なく、かつ中心レベルを簡便かつ迅速に算出することができる点である。
【００７１】
次に、別の実施形態について説明する。
図６は、第３の実施形態の動作を示す流れ図である。
なお、第３の実施形態における装置の構成については、第１の実施形態の構成（図２，図３）と同じなので、ここでの説明を省略する。
【００７２】
以下、図２，図３，図６に基づいて、第３の実施形態の動作を説明する。
まず、マイクロプロセッサ２１は、測光部１９から被写体の測光量を取り込み、この測光量に応じて、イメージセンサ５９の蓄積時間を初期設定する。
この状態で、レリーズ釦１１ａが半押しされると、イメージセンサ５９は、光電荷の蓄積を開始する。マイクロプロセッサ２１は、設定された蓄積時間に応じて、光電荷の蓄積を終了させる（図６Ｓ２）。
【００７３】
マイクロプロセッサ２１は、イメージセンサ５９の出力を取り込み、周知の相関演算処理を施してデフォーカス量を算出する（図６Ｓ３）。
次に、マイクロプロセッサ２１は、次回の電荷蓄積時間を次のように決定する。
まず、前回の蓄積時間Ｔｎａと、前回のイメージセンサ５９の出力ピーク値Ｐｎと、予め定められたイメージセンサ５９の目標ピーク値Ｐｓとを用いて、
Ｔｎｂ（ｋ）＝Ｔｎａ・（Ｐｓ／Ｐｎ）    ・・・（４）
を算出し、前回における適正蓄積時間Ｔｎｂ（ｋ）を求める（図６Ｓ４）。
【００７４】
ここで、デフォーカス量の検出回数が所定の標本回数（ｈ＋１）を超えた場合（図６Ｓ５）、マイクロプロセッサ２１は、測光部１９から被写体の測光量を取り込む（図６Ｓ６）。
次に、マイクロプロセッサ２１は、図７に示すように、測光量の上昇に従って、過去の重み比率が高い重み係数Ｗ（ｉ）を選択する（図６Ｓ８）。
【００７５】
ここで、マイクロプロセッサ２１は、過去（ｈ＋１）回分の適正蓄積時間Ｔｎｂ（ｋ−ｈ）〜Ｔｎｂ（ｋ）と、重み係数Ｗ（ｉ）とを用いて、
【数２】
0003774938.tif 000003
を算出し、次回の蓄積時間Ｔｍａを設定する（図６Ｓ９）。
なお、デフォーカス量の検出回数が所定の標本回数（ｈ＋１）に達しないときは（図６Ｓ５）、マイクロプロセッサ２１は、前回の適正蓄積時間Ｔｎｂ（ｋ）を、次回の蓄積時間Ｔｍａにそのまま設定する（図６Ｓ６）。
【００７６】
上述した動作をステップＳ２に戻って繰り返す。
以上説明した動作により、第３の実施形態では、第１の実施形態とほぼ同様の効果を得ることができる。
さらに、第３の実施形態に特有な効果は、被写体の測光量に応じて、蓄積時間の安定性と応答性との均衡が適宜に変更される点である。
【００７７】
すなわち、暗い被写体のように、蓄積時間が長くてフリッカ現象の目立たない被写体については、過去の重み比率が自動的に小さくなり、蓄積時間の応答性を即座に高めることができる。
一方、明るい被写体のように、蓄積時間が短くてフリッカ現象が顕著に表れる被写体については、過去の重み比率が自動的に高くなり、蓄積時間の安定性を一層高めることができる。
【００７８】
次に、別の実施形態について説明する。
図８は、第４の実施形態の動作を示す流れ図である。
なお、第４の実施形態における装置の構成については、第１の実施形態の構成（図２，図３）と同じなので、ここでの説明を省略する。
【００７９】
以下、図２，図３，図８に基づいて、第４の実施形態の動作を説明する。
まず、マイクロプロセッサ２１は、測光部１９から被写体の測光量を取り込み、この測光量に応じて、イメージセンサ５９の蓄積時間を初期設定する（図８Ｓ１）。
この状態で、レリーズ釦１１ａが半押しされると、イメージセンサ５９は、光電荷の蓄積を開始する。マイクロプロセッサ２１は、設定された蓄積時間に応じて、光電荷の蓄積を終了させる（図８Ｓ２）。
【００８０】
マイクロプロセッサ２１は、イメージセンサ５９の出力を取り込み、周知の相関演算処理を施してデフォーカス量を算出する（図８Ｓ３）。
次に、マイクロプロセッサ２１は、次回の電荷蓄積時間を次のように決定する。
まず、前回の蓄積時間Ｔｎａと、前回のイメージセンサ５９の出力ピーク値Ｐｎと、予め定められたイメージセンサ５９の目標ピーク値Ｐｓとを用いて、
Ｔｎｂ（ｋ）＝Ｔｎａ・（Ｐｓ／Ｐｎ）    ・・・（４）
を算出し、前回における適正蓄積時間Ｔｎｂ（ｋ）を求める（図８Ｓ４）。
【００８１】
この状態で、デフォーカス量の検出回数が所定の標本回数（ｈ＋１）を超えた場合（図８Ｓ５）、マイクロプロセッサ２１は、カメラの設定状態が手動焦点調節モードか否かを判定する（図８Ｓ７）。
ここで、手動焦点調節モードの場合、マイクロプロセッサ２１は、過去の重み比率が高い重み係数Ｗ（ｉ）を選択する（図８Ｓ８）。
【００８２】
一方、自動焦点調節モードの場合、マイクロプロセッサ２１は、過去の重み比率が低い重み係数Ｗ（ｉ）を選択する（図８Ｓ９）。
次に、マイクロプロセッサ２１は、過去（ｈ＋１）回分の適正蓄積時間Ｔｎｂ（ｋ−ｈ）〜Ｔｎｂ（ｋ）と、重み係数Ｗ（ｉ）とを用いて、上述の（９）式を算出し、次回の蓄積時間Ｔｍａを設定する（図８Ｓ１０）。
【００８３】
なお、デフォーカス量の検出回数が所定の標本回数（ｈ＋１）に達しないときは（図８Ｓ５）、マイクロプロセッサ２１は、前回の適正蓄積時間Ｔｎｂ（ｋ）を、次回の蓄積時間Ｔｍａに設定する（図８Ｓ６）。
上述した動作をステップＳ２に戻って繰り返す。
以上説明した動作により、第４の実施形態では、第１の実施形態とほぼ同様の効果を得ることができる。
【００８４】
さらに、第４の実施形態に特有な効果は、手動焦点調節モードと自動焦点調節モードとにおいて、蓄積時間の安定性と応答性との均衡が適宜に変更される点である。
すなわち、手動焦点調節モード時には、過去の重み比率が自動的に増加させることにより、焦点検出情報をより確実に検出して表示することができる。
【００８５】
一方、自動焦点調節モード時には、過去の重み比率が自動的に減少するので、カメラアングルの変更や被写体移動などに即座に応じて、蓄積時間を制御することが可能となる。
次に、別の実施形態について説明する。
図９は、第５の実施形態の動作を示す流れ図である。
【００８６】
なお、第５の実施形態における装置の構成については、第１の実施形態の構成（図２，図３）と同じなので、ここでの説明を省略する。
第５の実施形態における動作上の特徴は、カメラの設定状態がシングル焦点調節モードか否かを判定して、適正蓄積時間に乗じる重み係数Ｗ（ｉ）を選択する点である。
【００８７】
すなわち、シングル焦点調節モードの場合、マイクロプロセッサ２１は、過去の重み比率が高い重み係数Ｗ（ｉ）を選択する（図９Ｓ８）。
一方、連続調節モードの場合、マイクロプロセッサ２１は、過去の重み比率が低い重み係数Ｗ（ｉ）を選択する（図９Ｓ９）。
第５の実施形態においても、第１の実施形態とほぼ同様の効果を得ることができる。
【００８８】
さらに、第５の実施形態に特有な効果は、シングル焦点調節モードと連続焦点調節モードとにおいて、蓄積時間の安定性と応答性との均衡が適宜に変更される点である。
すなわち、シングル焦点調節モード時には、過去の重み比率が自動的に増加させることにより、焦点検出情報をより確実に検出して表示することができる。
【００８９】
一方、連続焦点調節モード時には、過去の重み比率が自動的に減少するので、カメラアングルの変更や被写体移動などに即座に応じて、蓄積時間を制御することが可能となる。
次に、別の実施形態について説明する。
図１０は、第６の実施形態の動作を示す流れ図である。
【００９０】
なお、第６の実施形態における装置の構成については、第１の実施形態の構成（図２，図３）と同じなので、ここでの説明を省略する。
第６の実施形態における動作上の特徴は、カメラの設定状態が単写モードか否かを判定して、適正蓄積時間に乗じる重み係数Ｗ（ｉ）を選択する点である。
すなわち、単写モードの場合、マイクロプロセッサ２１は、過去の重み比率が高い重み係数Ｗ（ｉ）を選択する（図１０Ｓ８）。
【００９１】
一方、連写モードの場合、マイクロプロセッサ２１は、過去の重み比率が低い重み係数Ｗ（ｉ）を選択する（図１０Ｓ９）。
第６の実施形態においても、第１の実施形態とほぼ同様の効果を得ることができる。
さらに、第６の実施形態に特有な効果は、単写モードと連写モードとにおいて、蓄積時間の安定性と応答性との均衡が適宜に変更される点である。
【００９２】
すなわち、単写モード時には、過去の重み比率が自動的に増加させることにより、焦点検出情報をより確実に検出して表示することができる。
一方、連写モード時には、過去の重み比率が自動的に減少するので、カメラアングルの変更や被写体移動などに即座に応じて、蓄積時間を制御することが可能となる。
【００９３】
次に、別の実施形態について説明する。
図１１は、第７の実施形態の動作を示す流れ図である。
なお、第７の実施形態における装置の構成については、第１の実施形態の構成（図２，図３）と同じなので、ここでの説明を省略する。
【００９４】
第７の実施形態における動作上の特徴は、被写体の動体判定結果に基づいて、適正蓄積時間に乗じる重み係数Ｗ（ｉ）を選択する点である。
すなわち、静止被写体の場合、マイクロプロセッサ２１は、過去の重み比率が高い重み係数Ｗ（ｉ）を選択する（図１１Ｓ８）。
一方、動体被写体の場合、マイクロプロセッサ２１は、過去の重み比率が低い重み係数Ｗ（ｉ）を選択する（図１１Ｓ９）。
【００９５】
第７の実施形態においても、第１の実施形態とほぼ同様の効果を得ることができる。
さらに、第７の実施形態に特有な効果は、静止被写体と動体被写体とにおいて、蓄積時間の安定性と応答性との均衡が適宜に変更される点である。
【００９６】
すなわち、静止被写体の場合には、過去の重み比率が自動的に増加させることにより、焦点検出情報をより確実に検出して表示することができる。
一方、動体被写体の場合には、過去の重み比率が自動的に減少するので、カメラアングルの変更や被写体移動などに即座に応じて、蓄積時間を制御することが可能となる。
【００９７】
次に、別の実施形態について説明する。
図１２は、第８の実施形態の動作を示す流れ図である。
なお、第８の実施形態における装置の構成については、第１の実施形態の構成（図２，図３）と同じなので、ここでの説明を省略する。
【００９８】
第８の実施形態における動作上の特徴は、撮影光学系１３の焦点距離に応じて、適正蓄積時間に乗じる重み係数Ｗ（ｉ）を選択する点である。
すなわち、焦点距離が短い場合、マイクロプロセッサ２１は、過去の重み比率が高い重み係数Ｗ（ｉ）を選択する（図１２Ｓ８）。
一方、焦点距離が長い場合、マイクロプロセッサ２１は、過去の重み比率が低い重み係数Ｗ（ｉ）を選択する（図１２Ｓ９）。
【００９９】
第８の実施形態においても、第１の実施形態とほぼ同様の効果を得ることができる。
さらに、第８の実施形態に特有な効果は、撮影光学系１３の焦点距離に応じて、蓄積時間の安定性と応答性との均衡が適宜に変更される点である。
すなわち、焦点距離が短い場合には、過去の重み比率が自動的に増加させることにより、焦点検出情報をより確実に検出して表示することができる。
【０１００】
一方、焦点距離が長い場合には、過去の重み比率が自動的に減少するので、頻繁に移動する撮影範囲に即座に応じて、蓄積時間を制御することが可能となる。
なお、上述した実施形態では、「関連量」として、適正蓄積時間もしくは照度を採用しているが、関連量はこれらに限定されるものではなく、光像の照度に換算可能な量であればよい。例えば、適正蓄積時間Ｔｎｂ（ｋ）の逆数値などを関連量としてもよい。
【０１０１】
また、上述した実施形態では、中心レベルとして、平均値もしくは中間値を採用しているが、これに限定されるものではなく、フリッカ現象により変動しない値であればよい。例えば、中央値（メジアン）など算出して中心レベルとしてもよい。
さらに、上述した実施形態では、イメージセンサ５９の出力ピーク値に応じて蓄積時間を制御する焦点検出装置について述べたが、本発明の適用はこれに限定されるものではない。例えば、イメージセンサ５９のフレーム内における平均レベルに応じて蓄積時間を制御する焦点検出装置に本発明を適用してもよい。
【０１０２】
また、上述した実施形態では、位相検出方式の焦点検出装置について述べたが、本発明の適用はこれに限定されるものではない。例えば、焦点検出用光学系１として、所定の基線長だけ離れたレンズを撮影光学系に隣接させて配置することにより、外光パシッブ方式の焦点検出装置に本発明を適用することができる。
さらに、第３の実施形態では、測光部１９の測光量に応じて、重み比率を変更しているが、それに限定されるものではなく、一般的には、測光量に換算可能な量に応じて重み比率を変更すればよい。例えば、イメージセンサ５９の出力レベルや、最新の適正蓄積時間Ｔｎｂ（ｋ）などに応じて、重み比率を変更してもよい。
【０１０３】
【発明の効果】
本発明では、光像の照度、適正となる蓄積時間、または該適正となる蓄積時間の逆数のいずれかを照度に関する量として順次算出し、複数時点の照度に関する量について、平均値、中央値、最大値と最小値との中間値、または重み付け平均値のいずれかを中心レベルとして算出し、その中心レベルから蓄積時間を求めている。
【０１０４】
このような作用により、フリッカ現象の影響を簡易な処理で取り除き、蓄積時間のふらつきを確実に防ぐことができる。
そのため、蓄積時間がふらついて、光電変換手段の出力レベルが大きく変動することがなくなり、出力レベルを適正な範囲内に収めることができる。
また、フリッカ現象の影響で、光電変換手段の出力が白側もしくは黒側につぶれるおそれがなくなるので、一組の光像について位置間隔を正確に算出して、焦点検出情報を確実に検出することができる。
【０１０８】
本発明では、被写体の測光量が上昇するに従って、過去の照度に関する量に乗じる重み比率を増加させる。
したがって、暗い被写体のように、蓄積時間が長くてフリッカ現象の目立たない被写体については、過去の照度に関する量に乗じる重み比率が自動的に小さくなり、蓄積時間の応答性を格段に高めることができる。
【０１０９】
一方、明るい被写体のように、蓄積時間が短くてフリッカ現象が顕著に表れる被写体については、過去の照度に関する量に乗じる重み比率が自動的に高くなり、蓄積時間の安定性を格段に高めることができる。
このように、被写体の測光量に応じて重み比率を変更することにより、撮影状況の変化に適応した「蓄積時間の制御」を実現することができる。
【０１１０】
本発明では、手動焦点調節モード時に、過去の照度に関する量に乗じる重み比率を自動的に増加させる。そのため、蓄積時間の安定性が大幅に高められ、フリッカ現象に起因する光電変換手段の出力つぶれを防止して、焦点検出情報を確実に検出することが可能となる。
したがって、焦点検出情報を継続的に途切れることなく表示でき、手動による焦点調節動作に対して、的確な指針を随時に与えることが可能となる。
【０１１１】
一方、自動焦点調節モード時には、過去の照度に関する量に乗じる重み比率を自動的に減少させる。そのため、フリッカ現象による蓄積時間のふらつきを適度に抑制しつつ、被写体本来の照度変化に対する蓄積時間の応答性を高めることができる。
したがって、（自動焦点調節モード時に頻繁に実行される）カメラアングルの変更や被写体移動などに応じて、蓄積時間を迅速かつ鋭敏に制御することが可能となる。
【０１１２】
このように、手動焦点調節モードと自動焦点調節モードとにおいて重み比率を変更することにより、撮影状況の変化に適応した「蓄積時間の制御」を実現することができる。
本発明では、シングル焦点調節モード時に、過去の照度に関する量に乗じる重み比率を自動的に増加させる。そのため、蓄積時間の安定性が大幅に高められ、フリッカ現象に起因する光電変換手段の出力つぶれを確実に防止して、焦点検出情報を確実に検出することが可能となる。
【０１１３】
したがって、（シングル焦点調節モード時に撮影されることが多い）静止被写体について、焦点検出情報をより確実に検出することが可能となる。
一方、連続焦点調節モード時には、過去の照度に関する量に乗じる重み比率を自動的に減少させる。そのため、フリッカ現象による蓄積時間のふらつきを適度に抑制しつつ、被写体本来の照度変化に対する蓄積時間の応答性を高めることができる。
【０１１４】
したがって、（連続焦点調節モード時に頻繁に実行される）カメラアングルの変更や被写体移動などに応じて、蓄積時間を迅速かつ鋭敏に制御することが可能となる。
このように、シングル焦点調節モードと連続焦点調節モードとにおいて重み比率を変更することにより、撮影状況の変化に適応した「蓄積時間の制御」を実現することができる。
【０１１５】
本発明では、単写モード時に、過去の照度に関する量に乗じる重み比率を自動的に増加させる。そのため、蓄積時間の安定性が大幅に高められ、フリッカ現象に起因する光電変換手段の出力つぶれを確実に防止して、焦点検出情報を確実に検出することが可能となる。
したがって、（単写モード時に撮影されることが多い）静止被写体について、焦点検出情報をより確実に検出することが可能となる。
【０１１６】
一方、連写モード時には、過去の照度に関する量に乗じる重み比率を自動的に減少させる。そのため、フリッカ現象による蓄積時間のふらつきを適度に抑制しつつ、被写体本来の照度変化に対する蓄積時間の応答性を高めることができる。
したがって、（連続撮影の期間中に頻繁に実行される）カメラアングルの変更や被写体移動などに応じて、蓄積時間を迅速かつ鋭敏に制御することが可能となる。
【０１１７】
このように、単写モードと連写モードとにおいて重み比率を変更することにより、撮影状況の変化に適応した「蓄積時間の制御」を実現することができる。
本発明では、静止被写体の場合に、過去の照度に関する量に乗じる重み比率を自動的に増加させる。そのため、蓄積時間の安定性が大幅に高められ、フリッカ現象に起因する光電変換手段の出力つぶれを確実に防止して、焦点検出情報を確実に検出することが可能となる。
【０１１８】
したがって、静止被写体について、焦点検出情報をより確実に検出することが可能となる。
一方、動体被写体の場合には、過去の照度に関する量に乗じる重み比率を自動的に減少させる。そのため、フリッカ現象による蓄積時間のふらつきを適度に抑制しつつ、被写体本来の照度変化に対する蓄積時間の応答性を高めることができる。
【０１１９】
したがって、被写体の動きにより生じる照度変化に応じて、蓄積時間を迅速かつ鋭敏に制御することが可能となる。
このように、静止被写体と動体被写体とにおいて重み比率を変更することにより、撮影状況の変化に適応した「蓄積時間の制御」を実現することができる。
本発明では、撮影光学系の焦点距離が短い場合に、過去の照度に関する量に乗じる重み比率を自動的に増加させる。そのため、蓄積時間の安定性が大幅に高められ、フリッカ現象に起因する光電変換手段の出力つぶれを確実に防止して、焦点検出情報を確実に検出することが可能となる。
【０１２０】
したがって、（撮影画角が広いために照度変化が小さい）被写体について、焦点検出情報をより確実に検出することが可能となる。
一方、撮影光学系の焦点距離が長い場合に、過去の照度に関する量に乗じる重み比率を自動的に減少させる。そのため、フリッカ現象による蓄積時間のふらつきを適度に抑制しつつ、被写体本来の照度変化に対する蓄積時間の応答性を高めることができる。
【０１２１】
したがって、（撮影画角が狭いために頻繁に変化する）被写体の照度変化に応じて、蓄積時間を迅速かつ鋭敏に制御することが可能となる。
このように、撮影光学系の焦点距離に応じて重み比率を変更することにより、撮影状況の変化に適応した「蓄積時間の制御」を実現することができる。
【図面の簡単な説明】
【図１】  本発明の原理ブロック図である。
【図２】  第１の実施形態を示す図である。
【図３】  焦点検出部２０の内部構成を示す分解斜視図である。
【図４】  第１の実施形態の動作を説明する流れ図である。
【図５】  第２の実施形態の動作を示す流れ図である。
【図６】  第３の実施形態の動作を示す流れ図である。
【図７】  重み係数の変更を説明する図である。
【図８】  第４の実施形態の動作を示す流れ図である。
【図９】  第５の実施形態の動作を示す流れ図である。
【図１０】  第６の実施形態の動作を示す流れ図である。
【図１１】  第７の実施形態の動作を示す流れ図である。
【図１２】  第８の実施形態の動作を示す流れ図である。
【図１３】  焦点検出部を示す分解斜視図である。
【図１４】  従来の焦点検出装置の動作を示す流れ図である。
【図１５】  測光量の周期変動を説明する図である。
【符号の説明】
１  焦点検出用光学系
２  光電変換手段
３  照度算出手段
４  中心算出手段
５  蓄積時間制御手段
６  焦点検出手段
１１  カメラボディ
１１ａ  レリーズ釦
１２  鏡筒
１４  メインミラー
１５  サブミラー
１６  マット面
１７  ペンタプリズム
１８  接眼レンズ
１９  測光部
２０  焦点検出部
２１  マイクロプロセッサ
２１ａ  Ａ／Ｄ変換部
５０  焦点検出部
５１  レンズホルダ部
５２  コンデンサレンズ
５３  視野マスク
５４  赤外カットフィルタ
５５  ミラー
５７  絞り板
５７ａ  絞りマスク
５７ｂ  絞りマスク
５８  レンズ板
５８ａ  セパレータレンズ
５８ｂ  セパレータレンズ
５９  イメージセンサ
６０  マイクロプロセッサ
６０ａ  Ａ／Ｄ変換部
【図１】
0003774938.tif 000004
【図２】
0003774938.tif 000005
【図３】
0003774938.tif 000006
【図４】
0003774938.tif 000007
【図５】
0003774938.tif 000008
【図６】
0003774938.tif 000009
【図７】
0003774938.tif 000010
【図８】
0003774938.tif 000011
【図９】
0003774938.tif 000012
【図１０】
0003774938.tif 000013
【図１１】
0003774938.tif 000014
【図１２】
0003774938.tif 000015
【図１３】
0003774938.tif 000016
【図１４】
0003774938.tif 000017
【図１５】
0003774938.tif 000018